(57)【要約】【課題】書込み特性が低下せず、より確実にＲＦＩＤタグへの書込みが行えるＲＦＩＤタグ書込み装置を提供すること。【解決手段】用紙Ｐに複数列配置されたＲＦＩＤタグＴに書込みを行うＲＦＩＤ書込み装置であって、用紙Ｐを搬送する搬送部１１０と、列ごとにＲＦＩＤタグＴに書込みを行う複数の書込み部３０と、書込み部３０ごとに対向して配置され、用紙Ｐを支持する複数のバックアップ部材４０とを備え、同列上において隣り合う前記書込み部同士に対応するバックアップ部材４０同士が、互いに異なる比誘電率を有する。【選択図】図５
2015170157.tif 000002
【特許請求の範囲】
【請求項１】
用紙に複数列配置されたＲＦＩＤタグに書込みを行うＲＦＩＤ書込み装置であって、
前記用紙を搬送する搬送部と、
列ごとに前記ＲＦＩＤタグに書込みを行う複数の書込み部と、
前記書込み部ごとに対向して配置され、前記用紙を支持する複数のバックアップ部材とを備え、
同列上において隣り合う前記書込み部同士に対応する前記バックアップ部材同士が互いに異なる比誘電率を有する
ことを特徴とするＲＦＩＤタグ書込み装置。
【請求項２】
前記複数の書込み部は、千鳥状に配置されていることを特徴とする請求項１に記載のＲＦＩＤタグ書込み装置。
【請求項３】
前記複数のバックアップ部材は、比誘電率の高い材料で形成されたバックアップ部材と比誘電率の低い材料で形成されたバックアップ部材が隣り合って設けられていることを特徴とする請求項１又は２に記載のＲＦＩＤタグ書込み装置。
【発明の詳細な説明】
【技術分野】
【０００１】
本発明は、複数列配置されたＲＦＩＤタグに書込みを行うＲＦＩＤタグ書込み装置に関する。
【背景技術】
【０００２】
複数列に配置されたＲＦＩＤタグにデータを書き込むに際しては、隣接するタグ同士が干渉することを避けるため、通信の周波数をずらしたり、書き込むタイミングをずらしたり、シールドを強化するなどの対策が講じられている。しかし、例えば、周波数をずらした場合、タグが有する共振周波数を外れることから、書込み特性が低下することが懸念されている。このような事態を解決する手段として、周波数が異なる複数のＲＦＩＤタグに対応した周波数調製回路を中継基板に組み込み、その中継基板を周波数ごとにリーダライタのアンテナ基板と制御基板の間に予め設けておく構成が提案されている（例えば、特許文献１参照）。しかし、この構成では部材点数が増加するため、装置全体のコストや製造工数のアップにつながる。
【先行技術文献】
【特許文献】
【０００３】
【特許文献１】特開２０１３−１０９６８９号公報
【発明の概要】
【発明が解決しようとする課題】
【０００４】
本発明は、部材点数を増加させることなく、複数列のＲＦＩＤタグに対し列ごとに共振周波数を調整し、それぞれの列で異なる周波数による書込みを行うことにより、互いの電波干渉を防止して効率の良いＲＦＩＤタグ書込み装置を提供する。
【課題を解決するための手段】
【０００５】
（１）本発明に係る第１の態様は、用紙に複数列配置されたＲＦＩＤタグに書込みを行うＲＦＩＤ書込み装置であって、用紙を搬送する搬送部と、列ごとにＲＦＩＤタグに書込みを行う複数の書込み部と、書込み部ごとに対向して配置され、用紙を支持する複数のバックアップ部材とを備え、同列上において隣り合う前記書込み部同士に対応するバックアップ部材同士が互いに異なる比誘電率を有するＲＦＩＤタグ書込み装置を提供する。
（２）上記（１）に記載のＲＦＩＤタグ書込み装置において、複数の書込み部は、千鳥状に配置されていてもよい。
（３）上記（２）に記載のＲＦＩＤタグ書込み装置において、複数のバックアップ部材は、比誘電率の高い材料で形成されたバックアップ部材と比誘電率の低い材料で形成されたバックアップ部材が隣り合って設けられていてもよい。
【発明の効果】
【０００６】
本発明によれば、部材点数を増加させることなく、複数列のＲＦＩＤタグに対し列ごとに共振周波数を調整し、それぞれの列で異なる周波数による書込みを行うことにより、互いの電波干渉を防止して効率の良いＲＦＩＤタグ書込み装置を提供することができる。
【図面の簡単な説明】
【０００７】
【図１】本発明の実施形態に係るＲＦＩＤタグ書込み装置の正面図である。
【図２】ＲＦＩＤタグ書込み装置の部分断面図である。
【図３】ＲＦＩＤタグ書込み装置の搬送部の平面図である。
【図４】プレートに固定された状態のアンテナアッセンブリの平面図である。
【図５】図４におけるＡ−Ａ断面図に相当する図である。
【発明を実施するための形態】
【０００８】
以下、本発明の実施形態に係るＲＦＩＤ（Ｒａｄｉｏ  Ｆｒｅｑｕｅｎｃｙ  Ｉｄｅｎｔｉｆｉｃａｔｉｏｎ）タグ書込み装置１を添付図面に基づき詳細に説明する。ＲＦＩＤタグ書込み装置１は、台紙Ｄに複数列配置されたＲＦＩＤタグＴに書込みを行う。また、列方向は、用紙の搬送方向に直交する方向（用紙の幅方向）を示す。
【０００９】
図１において、ＲＦＩＤタグ書込み装置１は、用紙Ｐを供給する供給部１１と、供給部１１から搬送された用紙Ｐに印刷する印刷部１２と、印刷部１２で印刷された用紙Ｐを検査する検査部１３とを備える。供給部１１、印刷部１２及び検査部１３は、用紙Ｐの搬送方向Ｃに順次並んで配置されている。ここで、用紙Ｐは、ＲＦＩＤタグＴが粘着剤を有するラベルによって剥離剤を有する台紙Ｄ上に複数列配置されたものとする。なお、用紙Ｐは、ＲＦＩＤタグＴが複数列配置された状態で二つの紙に挟み込まれたものであってもよい。また、図中には、搬送方向Ｃを実線矢印で示した。
【００１０】
供給部１１は、連続紙である用紙Ｐを印刷部１２に供給している。ここで、用紙Ｐは折りたたまれた紙であってもよいし、ロール状に巻かれた連続紙であってもよい。
【００１１】
印刷部１２は、用紙Ｐに対し、白黒印刷又はカラー印刷を行う。印刷方式は、インクジェット方式、乾式電子写真方式、熱転写方式等を用いることができる。
【００１２】
検査部１３は、用紙Ｐに印刷された文字、画像等が用紙Ｐに対してずれているか、用紙Ｐの皺、捩れ等が発生しているか等を検査する。検査は、印刷された文字、画像等を撮影し、画像処理によって行うことができる。検査の方法は、他の方法であってもよい。検査で異常が発見された場合は、ＲＦＩＤタグ書込み装置１を停止し、供給部１１、印刷部１２の保守点検作業を行う。
【００１３】
以下に、台紙Ｄに複数列配置されたＲＦＩＤタグＴに書込みを行う供給部１１を中心に詳しく説明する。図２及び図３に示すように、ＲＦＩＤ書込み装置１の供給部１１は、台紙Ｄを搬送する搬送部１１０と、列ごとにＲＦＩＤタグＴに書込みを行う複数の書込み部３０を有するアンテナプレート２０と、台紙Ｄを挟んでアンテナプレート２０と対向するバックアッププレート（バックアップ部材）４０を備えている。台紙Ｄを支持するバックアッププレート４０は、タグの列ごとに複数のバックアッププレート４１，４２，４３として設けられている。
【００１４】
ＲＦＩＤタグＴは、図３では、連続した台紙Ｄである剥離紙の表面に１０列仮着けされた例を図示しているが、これに限られることはなく、ＲＦＩＤタグＴ及び対応するバックアッププレート４０は何列であってもよい。
【００１５】
台紙Ｄの両端は、供給部１１に用紙Ｐが入る入口及び出口の搬送方向Ｃに対して両側に配置された図示しない送りピンを備えたガイド部材Ｇによって位置決めされて搬送される。台紙Ｄの幅やＲＦＩＤタグＴの数、配列等は、ＲＦＩＤタグＴの用途によって異なる。台紙Ｄは、バックアッププレート４０に接して摺動しながら搬送される。なお、バックアッププレートに摺動させずに接近状態で搬送してもよい。
【００１６】
アンテナプレート２０は、ガイド部材Ｇの搬送方向Ｃ側に配置されている。ここで、アンテナプレート２０は、平面視において搬送方向Ｃと直交するする方向に長い矩形状を有している。
【００１７】
図４において、アンテナプレート２０は、プレート２１と書込み部３０とを備えている。アンテナプレート２０は、図３に示した１０列に配置されるＲＦＩＤタグＴと１対１対応となるように書込み部３０を１０個備えられている。書込み部３０は、対応するＲＦＩＤタグＴに、非接触通信によって所定の書きこみ情報を書き込む。ここでは、書込み部３０がプレート２１に千鳥状に２列配置されている例を示している。以下の説明では搬送方向Ｃの手前側の列に配置された書込み部３０について述べているが、搬送方向Ｃの奥側の列に配置された書込み部３０についても同様のことが妥当する。また、本明細書では、同じ列の横にある書込み部３０同士を隣り合う書込み部３０同士と、隣り合う書込み部３０同士に対応するバックアッププレート４０同士を一つ置きのバックアッププレート４０同士と呼ぶ。
【００１８】
以下に、書込み部３０及びバックアッププレート４０をより詳しく説明するために、隣り合う書込み部３０を３個、それぞれの書込み部３０に対向する一つ置きのバックアッププレート４０を３個取り出した場合を、図５に基づいて説明する。
【００１９】
図５において、列ごとにＲＦＩＤタグＴに書込みを行う第１書込み部３１、第２書込み部３２、第３書込み部３３と、台紙Ｄを挟んで第１書込み部３１、第２書込み部３２、第３書込み部３３ごとに対向して配置され、台紙Ｄを支持する第１バックアッププレート４１、第２バックアッププレート４２、第３バックアッププレート４３とを示した。第１書込み部３１、第２書込み部３２、第３書込み部３３は、アンテナＡＮＴ１、アンテナＡＮＴ２、アンテナＡＮＴ３をそれぞれ有している。リーダライタ３００からの信号によって、第１書込み部３１、第２書込み部３２、第３書込み部３３では、アンテナＡＮＴ１、アンテナＡＮＴ２、アンテナＡＮＴ３をそれぞれ介して、対応するＲＦＩＤタグＴに、所定の書きこみ情報を書き込む。
【００２０】
アンテナＡＮＴ１、アンテナＡＮＴ２、アンテナＡＮＴ３は、例えば、絶縁基板に導電性物質をパターン形成することによって得られる。パターン形成は、エッチングや印刷によって行うことができる。
【００２１】
一つ置きの第１バックアッププレート４１と第２バックアッププレート４２同士、一つ置きの第２バックアッププレート４２と第３バックアッププレート４３同士が互いに異なる比誘電率ε１，ε２，ε３を有する。
【００２２】
他列からの影響を少なくするために、アンテナからＲＦＩＤタグＴへの書込み周波数を変化させると、ＲＦＩＤタグＴの持つ共振周波数とずれることから書込み特性が低下する。一方、実施形態によれば、第１バックアッププレート４１、第２バックアッププレート４２、第３バックアッププレート４３のそれぞれの比誘電率ε１，ε２，ε３に影響されて、それぞれ対応するＲＦＩＤタグＴのアンテナの共振周波数ｆ１、ｆ２、ｆ３が異なる。比誘電率εの違いによる波長の変化率は比誘電率εの平方根の逆数（１／√ε）で表されるが、これらの共振周波数の変化に合わせた周波数により、各列に備わったアンテナＡＮＴ１、アンテナＡＮＴ２、アンテナＡＮＴ３から電波をＲＦＩＤタグＴのアンテナに与えることにより、他列の影響を抑えることが可能となる。
【００２３】
ここで、台紙Ｄの搬送方向Ｃにおいて外側に位置する第１書込み部３１及びＲＦＩＤタグＴは、両側に第１書込み部３１及びＲＦＩＤタグＴと第３書込み部３３及びＲＦＩＤタグＴとに挟まれた第２書込み部３２及びＲＦＩＤタグＴより、他列からの影響が少ない。したがって、台紙Ｄの搬送方向Ｃにおいて外側に位置する第１バックアッププレート４１が、内側に位置する第２バックアッププレート４２より高い比誘電率εを有してもよい。
【００２４】
例えば、第１バックアッププレート４１としては比誘電率の高いゴム材（シリコンゴム、エチレンプロピレンジエンゴム（ＥＰＤＭ））、ガラスエポキシ基板材料（ＦＲ４）、ガラスなどを、第２バックアッププレート４２としては比誘電率の低い発泡樹脂、スチロール、テフロン（登録商標）、ポリエチレンテレフタラート（ＰＥＴ）などを、第３バックアッププレート４３としては上述の比誘電率の高い材料を含んだものを用いることができる。これにより、一つ置きのバックアッププレート４０同士が互いに異なる比誘電率を有するようになる。
【００２５】
以上の実施形態では書込み部３０が千鳥状に配置された例について説明したが、本発明は書込み部３０を千鳥状に代えて横一列に配置した場合にも適用できる。その場合は、隣り合う書込み部３０同士に対応するバックアッププレート４０同士も隣り合うことになるので、隣り合うバックアッププレート４０同士が互いに異なる比誘電率を有することとなる。
【００２６】
実施形態によれば、書込み特性が低下せず、より確実にＲＦＩＤタグＴへの書込みが行えるＲＦＩＤタグ書込み装置１を提供できる。
【００２７】
実施形態では、ＲＦＩＤタグＴへの書込みについて述べたが、読み取りにも適用できる。また、実施形態では、印刷も可能なＲＦＩＤタグ書込み装置１について述べたが、印刷を行わないＲＦＩＤタグ書込み装置についても適用できる。
【符号の説明】
【００２８】
１  ＲＦＩＤタグ書込み装置
１１  供給部
１２  印刷部
１３  検査部
２０  アンテナプレート
２１  プレート
３０  書込み部
３１  第１書込み部
３２  第２書込み部
３３  第３書込み部
４０  バックアッププレート（バックアップ部材）
４１  第１バックアッププレート
４２  第２バックアッププレート
４３  第３バックアッププレート
１１０  搬送部
３００  リーダライタ
ＡＮＴ１，ＡＮＴ２，ＡＮＴ３  アンテナ
Ｃ  搬送方向
Ｄ  台紙
ｆ１，ｆ２，ｆ３  共振周波数
Ｇ  ガイド部材
Ｐ  用紙
【図１】
2015170157.tif 000003
【図２】
2015170157.tif 000004
【図３】
2015170157.tif 000005
【図４】
2015170157.tif 000006
【図５】
2015170157.tif 000007